(57)【要約】【課題】面順次方式の表示装置において白色成分の単色画像の表示に起因したフリッカを抑制する。【解決手段】分離回路４４は、複数の原色成分の階調を画素ごとに指定する入力画像信号Ｓ1から、複数の原色成分と複数の白色成分とについて階調を指定する分離画像信号Ｓ2を生成する。照明装置１０および液晶装置２０は、複数の白色成分の各々に対応したサブフィールドＳFが時間軸上で相互に離間するように、フレームＦ内の複数のサブフィールドＳFの各々において、各原色成分および各白色成分の単色画像を分離画像信号Ｓ2に基づいて順次に表示する。【選択図】図１
2008268322.tif 000002
【特許請求の範囲】
【請求項１】
複数の原色成分の階調を画素ごとに指定する入力画像信号から、複数の色成分と複数の白色成分とについて階調を指定する分離画像信号を生成する分離手段と、
前記複数の白色成分の各々に対応したサブフィールドが時間軸上で相互に離間するように、１フレーム内の複数のサブフィールドの各々において、前記各色成分および前記各白色成分の単色画像を前記分離画像信号に基づいて順次に表示する表示手段と
を具備する表示装置。
【請求項２】
前記表示手段は、前記複数の色成分の単色画像を表示する複数のサブフィールドの前後の各サブフィールドにて白色成分の単色画像を表示する
請求項１の表示装置。
【請求項３】
前記表示手段は、前記複数の色成分の単色画像を表示する複数のサブフィールドの間隙のサブフィールドにて白色成分の単色画像を表示する
請求項１の表示装置。
【請求項４】
前記表示手段は、１フレーム内の所定の期間にて黒画像を表示する
請求項１から請求項３の何れかの表示装置。
【請求項５】
前記表示手段は、１フレーム内の最後の期間にて黒画像を表示する
請求項４の表示装置。
【請求項６】
前記表示手段は、前記複数の白色成分のうち少なくともひとつの白色成分の単色画像を、前記各色成分の単色画像を表示するサブフィールドよりも長い時間のサブフィールドにて表示する
請求項１から請求項５の何れかの表示装置。
【請求項７】
前記分離手段は、前記複数の原色成分のうちの２色の混色成分を前記複数の色成分に含めて前記分離画像信号を生成する
請求項１から請求項６の何れかの表示装置。
【請求項８】
前記表示手段は、第１基板と第２基板との間隙にＯＣＢモードの液晶を封止した液晶装置を含む
請求項１から請求項７の何れかの表示装置。
【請求項９】
請求項１から請求項８の何れかの表示装置を具備する電子機器。
【請求項１０】
複数の原色成分の階調を画素ごとに指定する入力画像信号から、複数の色成分と複数の白色成分とについて階調を指定する分離画像信号を生成し、
前記複数の白色成分の各々に対応したサブフィールドが時間軸上で相互に離間するように、１フレーム内の複数のサブフィールドの各々において、前記各色成分および前記各白色成分の単色画像を前記分離画像信号に基づいて順次に表示装置に表示させる
表示装置の駆動方法。
【発明の詳細な説明】
【技術分野】
【０００１】
本発明は、面順次方式（フィールドシーケンシャル方式）で画像を表示する技術に関する。
【背景技術】
【０００２】
複数の原色成分（例えば赤色，緑色および青色）の各々の単色画像を時分割で順次に表示することで観察者にカラー画像を知覚させる面順次方式の表示装置においては、複数の原色成分の混色で表現される動画像の縁部にて各原色成分が分離して知覚される現象（以下「色割れ」という）が問題となる。特許文献１には、複数の原色成分から抽出される白色成分と複数の色成分の各々とについて単色画像を順次に表示することで色割れを低減する技術が開示されている。
【特許文献１】特開２００２−１６９５１５号公報
【発明の開示】
【発明が解決しようとする課題】
【０００３】
しかし、特許文献１の技術においては、特に画像の表示色が白色に近い場合に、白色成分の単色画像が他の色成分の単色画像と比較して高階調（高輝度）となる。そして、階調の相違する複数の単色画像が順次に表示されることで観察者の知覚するフリッカが顕在化するという問題がある。以上の事情を背景として、本発明は、面順次方式の表示装置において白色成分の単色画像の表示に起因したフリッカを抑制するという課題の解決をひとつの目的としている。
【課題を解決するための手段】
【０００４】
以上の課題を解決するために、本発明に係る表示装置は、複数の原色成分の階調を画素ごとに指定する入力画像信号から、複数の色成分（原色成分、または、原色成分と混色成分との組合せ）と複数の白色成分とについて階調を指定する分離画像信号を生成する分離手段と、複数の白色成分の各々に対応したサブフィールドが時間軸上で相互に離間するように、１フレーム内の複数のサブフィールドの各々において、各色成分および各白色成分の単色画像を分離画像信号に基づいて順次に表示する表示手段（例えば図１の照明装置１０および液晶装置２０）とを具備する。表示手段は、例えば、第１基板と第２基板との間隙にＯＣＢモードの液晶を封止した液晶装置を含む。本発明の表示装置は各種の電子機器に利用される。
【０００５】
以上の構成においては、時間軸上で相互に離間する各サブフィールドにて複数の白色成分の各々の単色画像が表示されるから、ひとつのサブフィールドのみにおいて白色成分を表示する構成と比較して、白色成分の単色画像の階調（輝度）が抑制される。したがって、白色成分の単色画像の表示に起因したフリッカを低減することが可能である。
【０００６】
各色成分の単色画像と各白色成分の単色画像とを表示する順番は任意である。例えば、本発明のひとつの態様において、表示手段は、複数の色成分の単色画像を表示する複数のサブフィールドの前後の各サブフィールドにて白色成分の単色画像を表示する。また、複数の色成分の単色画像を表示する複数のサブフィールドの間隙のサブフィールドにて表示手段が白色成分の単色画像を表示する構成とすれば、観察者が色割れを知覚し難くすることが可能である。
【０００７】
本発明の好適な態様において、表示手段は、１フレーム内の所定の期間にて黒画像を表示する。本態様によれば、色成分の単色画像を表示する期間が短縮されることで色割れが抑制されるとともに、色成分および白色成分の単色画像を表示する期間が短縮されることで動画ボケが抑制されるという利点がある。なお、「黒画像を表示する」とは、カラー画像の表示を停止することを意味する。例えば、表示手段が照明装置と液晶装置とで構成される場合には、照明装置を消灯する動作と液晶装置の各画素の透過率を最低値に制御する動作との少なくとも一方を実行した状態が黒画像を表示した状態に相当する。さらに好適な態様における表示手段は、１フレーム内の最後の期間で黒画像を表示する。
【０００８】
本発明の好適な態様において、表示手段は、複数の白色成分のうち少なくともひとつの白色成分の単色画像を、各色成分の単色画像を表示するサブフィールドよりも長い時間のサブフィールドにて表示する。以上の態様によれば、色成分および白色成分の単色画像を表示する期間が充分に確保されるから、フリッカを有効に抑制することが可能である。
【０００９】
本発明の好適な態様において、分離手段は、複数の原色成分のうちの２色の混色成分を複数の色成分に含めて分離画像信号を生成する。以上の態様によれば、原色成分の単色画像が連続して表示される構成と比較して色割れを知覚され難くすることができる。さらに好適な態様において、混色成分の単色画像を表示するサブフィールドは、原色成分の単色画像を表示する各サブフィールドの間に介挿される。
【００１０】
本発明は、表示装置を駆動する方法としても特定される。本発明に係る駆動方法においては、複数の原色成分の階調を画素ごとに指定する入力画像信号から、複数の色成分と複数の白色成分とについて階調を指定する分離画像信号を生成し、複数の白色成分の各々に対応したサブフィールドが時間軸上で相互に離間するように、１フレーム内の複数のサブフィールドの各々において、各色成分および各白色成分の単色画像を分離画像信号に基づいて順次に表示装置に表示させる。以上の駆動方法によっても本発明の表示装置と同様の効果が奏される。
【発明を実施するための最良の形態】
【００１１】
＜Ａ：第１実施形態＞
図１は、本発明の第１実施形態に係る表示装置の構成を示すブロック図である。同図に示すように、表示装置１００は、照明装置１０と液晶装置２０と画像処理装置４０と制御装置５０とを具備する。画像処理装置４０と制御装置５０とは、単一の集積回路内に設置されても別個の集積回路に分散して設置されてもよい。
【００１２】
照明装置１０は、液晶装置２０の背面側に設置されて液晶装置２０を照明する。照明装置１０は、各々が別個の原色成分に対応する複数の発光体１２（１２R，１２G，１２B）と、各発光体１２からの出射光を液晶装置２０側に導く導光体１４とを含む。発光体１２Rは、赤色に対応する波長の光（赤色光）を出力する。同様に、発光体１２Gは緑色光を出射し、発光体１２Bは青色光を出射する。なお、実際には反射板や散乱板が導光体１４に貼着されるが、図１では便宜的に省略されている。
【００１３】
液晶装置２０は、相互に対向する第１基板２１と第２基板２２とを具備する。第１基板２１と第２基板２２との間隙には液晶（図示略）が封止される。ＯＣＢ（Optically Compensated Bend）モードなど高速に応答する液晶が好適に採用される。第２基板２２のうち液晶との対向面には、画像の各画素に対応する複数の画素電極２４が行列状に配列する。第１基板２１と第２基板２２とで挟持された液晶は、各画素電極２４と第１基板２１の表面の対向電極（図示略）との電位差に応じて配向が変化する。したがって、照明装置１０による照射光のうち観察側に透過する光量の割合（透過率）は画素電極２４ごとに制御される。
【００１４】
照明装置１０と液晶装置２０とは協働してカラー画像を表示する。図２は、照明装置１０および液晶装置２０の動作を説明するためのタイミングチャートである。図２に図示されたフレームＦは、ひとつのカラー画像の表示に利用される期間である。同図に示すように、フレームＦは複数（本形態では６個）のサブフィールドＳF（ＳF1〜ＳF6）に区分される。照明装置１０および液晶装置２０は、各々が別個の単色に対応した複数の画像（以下「単色画像」という）を各サブフィールドＳFにて順次に表示する（面順次方式）。サブフィールドＳFごとの単色画像を順次に視認することで、観察者は、各色が混合したカラー画像を知覚する。したがって、液晶装置２０に着色層（カラーフィルタ）は不要である。
【００１５】
図１の画像処理装置４０は、外部装置から供給される入力画像信号Ｓ1を処理する。入力画像信号Ｓ1は、画像を構成する各画素の表示色を指定する信号である。入力画像信号Ｓ1は、画素の表示色を構成する３種類の原色成分（赤色，緑色および青色）の各々について個別に階調を指定する。すなわち、入力画像信号Ｓ1は、赤色成分（以下「Ｒ成分」という）の階調Ｇ1_Rと緑色成分（以下「Ｇ成分」という）の階調Ｇ1_Gと青色成分（以下「Ｂ成分」という）の階調Ｇ1_Bとを画素ごとに指定する。
【００１６】
図１に示すように、画像処理装置４０は、記憶回路４２と分離回路４４とを具備する。記憶回路４２は、ひとつのフレームＦで表示される画像の各画素について入力画像信号Ｓ1を記憶するフレームメモリである。分離回路４４は、記憶回路４２が記憶する入力画像信号Ｓ1から分離画像信号Ｓ2を生成して出力する。分離画像信号Ｓ2は、入力画像信号Ｓ1が指定する表示色を複数の原色成分と複数の白色成分とに分離したときの各成分の階調を画素ごとに指定する信号である。本形態の分離画像信号Ｓ2は、図１に示すように、Ｒ成分の階調Ｇ2_RとＧ成分の階調Ｇ2_GとＢ成分の階調Ｇ2_Bとに加えて、第１の白色成分（以下「Ｗ1成分」という）の階調Ｇ2_W1と第２の白色成分（以下「Ｗ2成分」という）の階調Ｇ2_W2とを指定する。
【００１７】
図３は、分離回路４４の動作を説明するためのフローチャートである。同図の処理は、画像を構成する各画素について実行される。分離回路４４は、入力画像信号Ｓ1がひとつの画素について指定する３種類の原色成分の階調（Ｇ1_R，Ｇ1_GおよびＧ1_B）のなかから最小値Ｇminを特定する（ステップＳ1）。次いで、分離回路４４は、ステップＳ1にて特定した最小値Ｇminが閾値ＴＨ1を下回るか否かを判定する（ステップＳ2）。閾値ＴＨ1は、典型的には予め設定された固定値であるが、例えば利用者や上位装置からの指示に応じた可変値であってもよい。
【００１８】
図４の部分(a)および図５の部分(a)には、入力画像信号Ｓ1が各原色成分について指定する階調（Ｇ1_R，Ｇ1_GおよびＧ1_B）の具体例が図示されている。図４の部分(a)に例示した表示色においては、３種類の原色成分のうちＧ成分の階調Ｇ1_Gが閾値ＴＨ1を下回る最小値Ｇminである。図４の部分(a)のように最小値Ｇminが閾値ＴＨ1を下回る場合、分離回路４４は、ステップＳ1にて特定した最小値ＧminをＷ1成分の階調Ｇ2_W1として指定するとともにＷ2成分の階調Ｇ2_W2をゼロに指定する分離画像信号Ｓ2を生成する（ステップＳ3）。また、分離回路４４は、３種類の原色成分の各々の階調（Ｇ1_R，Ｇ1_G，Ｇ1_B）から最小値Ｇminを減算した数値を各原色成分の階調（Ｇ2_R，Ｇ2_G，Ｇ2_B）として分離画像信号Ｓ2で指定する（ステップＳ4）。
【００１９】
例えば、図４の部分(a)の表示色が指定された場合、分離回路４４は、図４の部分(b)に示すように、入力画像信号Ｓ1におけるＧ成分の階調Ｇ1_G（最小値Ｇmin）をＷ1成分の階調Ｇ2_W1として指定する。また、分離回路４４は、Ｒ成分の階調Ｇ1_Rと最小値Ｇminとの差分値を階調Ｇ2_Rに指定し、Ｂ成分の階調Ｇ1_Bと最小値Ｇminとの差分値を階調Ｇ2_Bに指定する。分離画像信号Ｓ2におけるＧ成分の階調Ｇ2_G（Ｇ2_G＝Ｇ1_G−Ｇmin）はゼロとなる。
【００２０】
一方、図５の部分(a)の表示色においては、３種類の原色成分の階調のなかで最小値ＧminであるＧ成分の階調Ｇ1_Gが閾値ＴＨ1を上回る。図５の部分(a)のようにステップＳ2の結果が否となる場合、分離回路４４は、閾値ＴＨ1をＷ1成分の階調Ｇ2_W1として指定するとともに最小値Ｇminと閾値ＴＨ1との差分値をＷ2成分の階調Ｇ2_W2として指定する分離画像信号Ｓ2を生成する（ステップＳ5）。また、分離回路４４は、３種類の原色成分の各々の階調（Ｇ1_R，Ｇ1_G，Ｇ1_B）から最小値Ｇmin（または階調Ｇ2_W1（ＴＨ1）と階調Ｇ2_W2との加算値）を減算した数値を各原色成分の階調（Ｇ2_R，Ｇ2_G，Ｇ2_B）として分離画像信号Ｓ2にて指定する（ステップＳ4）。
【００２１】
例えば、図５の部分(a)の表示色が指定された場合、分離回路４４は、閾値ＴＨ1をＷ1成分の階調Ｇ2_W1として指定するとともにＧ成分の階調Ｇ1_G（最小値Ｇmin）と閾値ＴＨ1との差分値をＷ2成分の階調Ｇ2_W2として指定する。また、分離回路４４は、Ｒ成分の階調Ｇ1_Rと最小値Ｇminとの差分値を階調Ｇ2_Rに指定し、Ｂ成分の階調Ｇ1_Bと最小値Ｇminとの差分値を階調Ｇ2_Bに指定する。分離画像信号Ｓ2におけるＧ成分の階調Ｇ2_Gはゼロとなる。以上に説明したように、入力画像信号Ｓ1の指定する表示色内の白色成分（Ｗ1＋Ｗ2）の階調が閾値ＴＨ1を上回る場合、白色成分は閾値ＴＨ1を境界としてＷ1成分とＷ2成分とに分離される。
【００２２】
図１の制御装置５０は、照明装置１０および液晶装置２０を制御する回路である。制御装置５０は、照明装置１０を駆動する照明駆動回路５２と液晶装置２０を駆動する液晶駆動回路５４とを具備する。なお、制御装置５０の実装の態様は任意である。例えば、照明駆動回路５２を照明装置１０に実装するとともに液晶駆動回路５４を液晶装置２０に実装した構成や、照明駆動回路５２と液晶駆動回路５４とを単一の集積回路に搭載した構成が採用される。
【００２３】
照明駆動回路５２は、図２に示すように、複数の発光体１２（１２R，１２G，１２B）の各々の発光／消灯をサブフィールドＳFごとに制御する。すなわち、照明駆動回路５２は、第２番目のサブフィールドＳF2にて発光体１２Rを発光させ、第３番目のサブフィールドＳF3にて発光体１２Gを発光させ、第４番目のサブフィールドＳF4にて発光体１２Bを発光させる。また、照明駆動回路５２は、第１番目のサブフィールドＳF1と第５番目のサブフィールドＳF5とにおいて全部の発光体１２（１２R，１２G，１２B）を発光させ、第６番目のサブフィールドＳF6にて全部の発光体１２を消灯させる。したがって、サブフィールドＳF2〜ＳF4では各原色成分の色光が液晶装置２０に順次に照射され、サブフィールドＳF1およびＳF5では白色光が液晶装置２０に照射され、サブフィールドＳF6では液晶装置２０に対する光照射が停止する。
【００２４】
液晶駆動回路５４は、各画素電極２４に対応する液晶の透過率を、分離画像信号Ｓ2が各画素に指定する階調に応じてサブフィールドＳFごとに制御する。すなわち、液晶駆動回路５４は、分離画像信号Ｓ2が各画素に指定する階調に応じた電位（以下「データ電位」という）を、当該画素に対応した画素電極２４に対して各サブフィールドＳFの先頭で供給する。複数の原色成分および複数の白色成分の何れかの成分に対応した照明光を照明装置１０が放射するサブフィールドＳF内において、データ電位は、分離画像信号Ｓ2が当該成分について指定する階調に応じて設定される。
【００２５】
さらに詳述すると、液晶駆動回路５４は、赤色光が照射されるサブフィールドＳF2において、各画素のＲ成分の階調Ｇ2_Rに対応したデータ電位を各画素電極２４に供給する。同様に、サブフィールドＳF3では階調Ｇ2_Gに応じたデータ電位が画素電極２４に供給され、サブフィールドＳF4では階調Ｇ2_Bに応じたデータ電位が画素電極２４に供給される。また、液晶駆動回路５４は、白色光が液晶装置２０に照射されるサブフィールドＳF1にてＷ1成分の階調Ｇ2_W1に応じたデータ電位を画素電極２４に供給し、同様に白色光が照射されるサブフィールドＳF5にてＷ2成分の階調Ｇ2_W2に応じたデータ電位を画素電極２４に供給する。さらに、液晶駆動回路５４は、照明装置１０が消灯するサブフィールドＳF6において、液晶の透過率を最低値（例えばゼロ）に制御するデータ電位を総ての画素電極２４に供給する。したがって、図２に示すように、複数の原色成分（Ｒ，Ｇ，Ｂ）および複数の白色成分（Ｗ1，Ｗ2）の各々に対応した単色画像がサブフィールドＳFごとに順次に表示される。Ｗ1成分の単色画像を表示するサブフィールドＳF1とＷ2成分の単色画像を表示するサブフィールドＳF5との間には各原色成分の単色画像を表示するサブフィールドＳF2〜ＳF4が介在する。すなわち、Ｗ1成分のサブフィールドＳF1とＷ2成分のサブフィールドＳF5とは時間軸上において相互に離間する。また、サブフィールドＳF6においては全画素について黒画像が表示される。
【００２６】
以上に説明したように本形態においては、各原色成分の単色画像に加えて白色成分（Ｗ1，Ｗ2）の単色画像が表示されるから、各原色成分の単色画像のみを表示する場合と比較して、観察者が知覚する画像の色割れを抑制することが可能である。色割れの抑制について詳述すると以下の通りである。
【００２７】
図６に示すように、黒色を背景として表示された矩形の被写体Ｐ（横幅Ｄ）が略一定の速度で経時的に右方に移動する場合を想定し、被写体Ｐを通過する１本のラインＬにおける表示色の経時的な変化を検討する。図７は、各原色成分の単色画像のみが表示される従来の構成での表示色の変化を示し、図８は、各原色成分および各白色成分の単色画像が表示される本形態の構成での表示色の変化を示す。図７および図８において縦軸は時間を示す。横軸は横方向（水平方向）の位置である。
【００２８】
図７や図８に示すように、被写体ＰはフレームＦごとに段階的に右方に移動する。すなわち、ひとつのフレームＦ内で被写体Ｐの位置は変化しない。これに対して観察者の視点は、被写体Ｐの移動に追従するように略一定の速度で連続的に右方に移動する。以上のように被写体Ｐの実際の移動と視点の移動とは相違するから、観察者は被写体Ｐの左右の縁部の近傍に色割れを知覚する。図７や図８の横幅ＣAは、被写体Ｐの片側に色割れが知覚される範囲の寸法（以下「色割れ幅」という）である。
【００２９】
原色成分の単色画像を表示する期間が長いほど色割れ幅ＣAは増大する。本形態において各原色成分の単色画像を表示する時間長は、Ｗ1成分およびＷ2成分の単色画像が表示される期間分だけ図７の構成と比較して短縮される。したがって、図８に示すように、本形態にて観察者が知覚する色割れ幅ＣAは、図７の場合の色割れ幅ＣAと比較して低減される。
【００３０】
また、被写体Ｐの移動と観察者の視点の移動との相違に起因して、観察者の知覚する被写体Ｐの輪郭が不明確となる現象（以下「動画ボケ」という）が発生する。図７や図８の横幅ＣBは、被写体Ｐの片側に動画ボケが知覚される範囲（被写体の輪郭が不明確と知覚される範囲）の寸法（以下「動画ボケ幅」という）である。原色成分または白色成分の単色画像を表示する期間が長いほど動画ボケ幅ＣBは増大する。本形態においては各原色成分および各白色成分の単色画像が表示されるサブフィールドＳFに加えて、黒画像のサブフィールド（（図面にて符号Ｋが付された非表示のサブフィールド）ＳF6がフレームＦ内に設定される。すなわち、本形態において原色成分および白色成分の単色画像を表示する期間は、サブフィールドＳF6の分だけ図７の構成と比較して短縮される。したがって、図８に示すように、本形態にて観察者が知覚する動画ボケ幅ＣBは、図７の場合の動画ボケ幅ＣBと比較して低減される。
【００３１】
ところで、入力画像信号Ｓ1が指定する表示色から抽出された白色成分の単色画像をひとつのサブフィールドＳFのみで表示する特許文献１の技術においては、特に画像の表示色が白色に近い場合に、白色成分の単色画像が他色の単色画像と比較して顕著に高階調となる。したがって、各原色成分の低階調な単色画像と白色成分の高階調な単色画像とが順次に表示されることで観察者の知覚するフリッカが顕著となる。本形態においては、表示色内の白色成分がＷ1成分とＷ2成分とに分離されたうえで別個のサブフィールドＳF（ＳF1，ＳF5）にて各々の単色画像が表示されるから、各白色成分の単色画像の階調（輝度）は閾値ＴＨ1までの範囲に制約される。すなわち、原色成分の単色画像と白色成分の単色画像との階調の相違が抑制されるから、白色に近い画像を表示する場合であっても、特許文献１と比較してフリッカが低減されるという利点がある。
【００３２】
また、観察者が知覚するフリッカは、観察側に光が出射する周波数（以下「発光周波数」という）や、ひとつのフレームＦのうち観察側に光が出射する時間の割合（以下「発光デューティ」という）にも依存する。すなわち、発光周波数や発光デューティが高いほどフリッカは低減される。図７や図８で説明したように動画ボケの防止のために黒画像のサブフィールドＳF6をフレームＦ内に挿入すると、サブフィールドＳF6を設定しない構成と比較して発光デューティは低下するから、サブフィールドＳF6の設定はフリッカを増加させる原因となる。一方、本形態のように相互に離間したサブフィールドＳF（ＳF1，ＳF5）にて白色成分を表示することは、発光周波数を上昇させることと等価であるから、フリッカを低減する方向に作用する。すなわち、本形態においては、黒画像の表示に起因したフリッカの増加を、白色成分の分散的な表示によって相殺することが可能である。
【００３３】
＜Ｂ：第２実施形態＞
次に、本発明の第２実施形態について説明する。第１実施形態においては、入力画像信号Ｓ1の指定する表示色が複数の原色成分と複数の白色成分とに分離される構成を例示した。これに対して本形態の分離回路４４は、入力画像信号Ｓ1が指定する表示色を、２種類の原色成分を混合した成分（以下「混色成分」という）を含む複数の色成分と複数の白色成分とに分離して分離画像信号Ｓ2を生成する。なお、本形態において作用や機能が第１実施形態と同等である要素については、以上と同じ符号を付して各々の詳細な説明を適宜に省略する。
【００３４】
本形態の分離回路４４が生成する分離画像信号Ｓ2は、第１実施形態と同様の３種類の原色成分の階調（Ｇ2_R，Ｇ2_G，Ｇ2_B）と２種類の白色成分の階調（Ｇ2_W1，Ｇ2_W2）とに加えて、赤色および緑色の混色成分である黄色成分（以下「Ｙ成分」という）の階調Ｇ2_Yと、緑色および青色の混色成分であるシアン成分（以下「Ｃ成分」という）の階調Ｇ2_Cと、青色および赤色の混色成分であるマゼンタ成分（以下「Ｍ成分」という）の階調Ｇ2_Mとを指定する。
【００３５】
図９の部分(a)および図１０の部分(a)には、入力画像信号Ｓ1が各原色成分について指定する階調（Ｇ1_R，Ｇ1_GおよびＧ1_B）の具体例が図示されている。図９の部分(a)に例示した表示色においては、３種類の原色成分のうちＲ成分の階調Ｇ1_Rが閾値ＴＨ1を下回る最小値Ｇminである。図９の部分(a)のように最小値Ｇminが閾値ＴＨ1を下回る場合、分離回路４４は、第１実施形態と同様に、最小値ＧminをＷ1成分の階調Ｇ2_W1に指定するとともにＷ2成分の階調Ｇ2_W2をゼロに指定する。
【００３６】
さらに、分離回路４４は、３種類の原色成分のうち最小値Ｇminとなる原色成分を除外した２種類の原色成分の混色成分について階調を選定する。例えば、図９の部分(a)のようにＲ成分の階調Ｇ1_Rが最小値Ｇminである場合、分離回路４４は、同図の部分(b)に示すように、Ｇ成分の階調Ｇ1_GとＢ成分の階調Ｇ1_Bとに基づいてＣ成分の階調Ｇ2_Cを設定する。階調Ｇ2_Cは、図９の部分(b)に示すように、階調Ｇ1_Gおよび階調Ｇ1_Bのうちの低い階調（Ｇ1_G）から最小値Ｇmin（Ｗ1成分の階調Ｇ2_W1）を減算した数値である。また、分離回路４４は、Ｗ1成分と混色成分（図９のＣ成分）との分離後に残存する原色成分について階調を設定する。例えば、図９の部分(b)にて残存するＢ成分の階調Ｇ2_Bは、Ｃ成分の階調Ｇ2_Cと最小値Ｇmin（Ｗ1成分の階調Ｇ2_W1）とを当初のＢ成分の階調Ｇ1_Bから減算した数値に設定される。また、混色成分およびＷ1成分の分離後に残存しない原色成分の階調（図９におけるＲ成分の階調Ｇ2_RおよびＧ成分の階調Ｇ2_G）と、最小値Ｇminとなる原色成分を包含する混色成分の階調（図９におけるＹ成分の階調Ｇ2_YとＭ成分の階調Ｇ2_M）とはゼロに指定される。
【００３７】
一方、図１０の部分(a)は、最小値ＧminであるＢ成分の階調Ｇ1_Bが閾値ＴＨ1を上回る表示色を例示する。最小値Ｇminが閾値ＴＨ1を上回る場合、分離回路４４は、第１実施形態と同様に、閾値ＴＨ1をＷ1成分の階調Ｇ2_W1として指定するとともに最小値Ｇminと閾値ＴＨ1との差分値をＷ2成分の階調Ｇ2_W2として指定する。
【００３８】
さらに、分離回路４４は、図９の場合と同様に、最小値Ｇminとなる原色成分を除外した２種類の原色成分の混色成分について階調を選定する。すなわち、図１０の部分(a)のようにＢ成分の階調Ｇ1_Bが最小値Ｇminである場合、分離回路４４は、同図の部分(b)に示すように、Ｒ成分の階調Ｇ1_RとＧ成分の階調Ｇ1_Gとに基づいてＹ成分の階調Ｇ2_Yを設定する。階調Ｇ2_Yは、図１０の部分(b)に示すように、階調Ｇ1_Rおよび階調Ｇ1_Gのうちの低い階調Ｇ1_Gから最小値Ｇmin（階調Ｇ2_W1と階調Ｇ2_W2との加算値）を減算した数値である。また、分離回路４４は、Ｗ1成分とＷ2成分とＹ成分との分離後に残存するＲ成分の階調Ｇ2_Rを、Ｙ成分の階調Ｇ2_Yと最小値Ｇminとを当初のＲ成分の階調Ｇ1_Rから減算した数値に設定する。なお、混色成分およびＷ1成分の分離後に残存しない原色成分の階調（図１０におけるＧ成分の階調Ｇ2_GとＢ成分の階調Ｇ2_B）と、最小値Ｇminの原色成分を包含する混色成分の階調（図１０におけるＣ成分の階調Ｇ2_CとＭ成分の階調Ｇ2_M）とはゼロに指定される。
【００３９】
図１１に示すように、ひとつのフレームＦは９個のサブフィールドＳF（ＳF1〜ＳF9）に区分される。制御装置５０は、分離画像信号Ｓ2によって階調が指定される各成分（原色成分，混色成分および白色成分）の単色画像がサブフィールドＳF1〜ＳF8の各々にて順次に表示されるように照明装置１０および液晶装置２０とを制御する。
【００４０】
混色成分の単色画像が表示されるサブフィールドＳFと原色成分の単色画像が表示される各サブフィールドＳFとは交互に配置される。すなわち、図１１に示すように、サブフィールドＳF2，ＳF4およびＳF6においては各原色成分（Ｒ成分，Ｇ成分，Ｂ成分）の単色画像が順次に表示され、サブフィールドＳF3，ＳF5およびＳF7においては各混色成分（Ｃ成分，Ｍ成分，Ｙ成分）の単色画像が順次に表示される。なお、混色成分の単色画像を表示するサブフィールドＳF3，ＳF5およびＳF7において、照明駆動回路５２は、各混色成分に対応した２個の発光体１２を同時に発光させる。例えば、サブフィールドＳF3においては、発光体１２Gおよび１２Bを同時に発光させることでＣ成分の色光を液晶装置２０に照射する。
【００４１】
複数の白色成分（Ｗ1成分，Ｗ2成分）の各々の単色画像は、複数の色成分（原色成分および混色成分）の単色画像を表示するサブフィールドＳF2〜ＳF7の前後のサブフィールドＳF1およびＳF8にて順次に表示される。フレームＦの最後のサブフィールドＳF9においては、第１実施形態と同様に全画素について黒画像Ｋが表示される（すなわち表示が停止する）。
【００４２】
本形態においても第１実施形態と同様の効果が奏される。なお、複数の原色成分の単色画像が時間軸上で連続して表示されると色割れは特に顕著に知覚される。本形態においては、原色成分の単色画像が表示される各サブフィールドＳFの間隙に混色成分の単色画像が表示されるから、原色成分の表示が連続する第１実施形態と比較して色割れをさらに抑制することが可能である。
【００４３】
＜Ｃ：変形例＞
以上の各形態には様々な変形を加えることができる。具体的な変形の態様を例示すれば以下の通りである。なお、以下の例示から任意に選択された２以上の態様は組合せ可能である。
【００４４】
（１）変形例１  
以上の各形態においては複数の色成分（原色成分，混色成分）の単色画像を表示する複数のサブフィールドＳFの前後の各サブフィールドＳFにて白色成分（Ｗ1成分，Ｗ2成分）の単色画像を表示する構成を例示したが、各サブフィールドＳFの順番は適宜に変更される。例えば、第１実施形態においては、図１２に示すように、Ｗ1成分の単色画像をＲ成分のサブフィールドＳF1とＧ成分のサブフィールドＳF3との間のサブフィールドＳF2にて表示する構成や、図１３に示すように、Ｗ2成分の単色画像をＧ成分のサブフィールドＳF3とＢ成分のサブフィールドＳF5との間のサブフィールドＳF4にて表示する構成も採用される。また、図１４に示すように、Ｗ1成分のサブフィールドＳF2とＷ2成分のサブフィールドＳF4とをともに原色成分のサブフィールドＳFの間に介挿した構成（図１２と図１３とを組合わせた構成）も好適である。図１２から図１４の構成によれば、原色成分の単色画像を表示する各サブフィールドＳFが白色成分のサブフィールドＳFを挟んで時間軸上で離間するから、原色成分の各サブフィールドＳFが連続する構成と比較して色割れを知覚され難くすることができる。なお、以上においては第１実施形態の変形を例示したが、第２実施形態においても同様に、各色の単色画像を表示する順番は任意に変更される。また、各色の単色画像を表示する順番をフレームＦごとに変化させる構成としてもよい。
【００４５】
（２）変形例２  
以上の形態においては表示色からＷ1成分およびＷ2成分が抽出される構成を例示したが、白色成分の分離数は任意に変更される。例えば、入力画像信号Ｓ1が指定する表示色から３種類の白色成分（Ｗ1〜Ｗ3）を抽出してもよい。すなわち、入力画像信号Ｓ1が図１５の部分(a)の表示色を指定する場合に、閾値ＴＨ1をＷ1成分の階調Ｇ2_W1に指定するとともに閾値ＴＨ2（ＴＨ2＞ＴＨ1）と閾値ＴＨ1との差分値をＷ2成分の階調Ｇ2_W2に指定し、階調の最小値Ｇmin（図１５では階調Ｇ1_B）と閾値ＴＨ2との差分値をＷ3成分の階調Ｇ2_W3に指定する。
【００４６】
図１６に例示するように、フレームＦを区分した７個のサブフィールドＳF1〜ＳF7のうちサブフィールドＳF2，ＳF4およびＳF5において各原色成分の単色画像が順次に表示され、サブフィールドＳF1，ＳF3およびＳF6にてＷ1成分，Ｗ2成分およびＷ3成分の各単色画像が順次に表示される。もっとも、各色の単色画像が表示される順番は任意である。例えば、図１７に示すように、フレームＦの偶数番目のサブフィールドＳF2，ＳF4およびＳF6にて各原色成分の単色画像を順次に表示し、奇数番目のサブフィールドＳF1，ＳF3およびＳF5にて各白色成分の単色画像を順次に表示してもよい。なお、以上においては第１実施形態の変形を例示したが、第２実施形態についても同様の変形（白色成分の分離数の増加）が適用される。
【００４７】
（３）変形例３  
以上の各形態においてはフレームＦ内の全部のサブフィールドＳFを同じ時間長とした場合を例示したが、各サブフィールドＳFの時間長は適宜に変更される。例えば、黒画像Ｋが表示されるサブフィールドＳFを他のサブフィールドＳFと比較して長い期間に設定した態様（以下「態様１」という）や、Ｗ1成分やＷ2成分の単色画像が表示されるサブフィールドＳFを他のサブフィールドＳFと比較して長い期間に設定した態様（以下「態様２」という）が採用される。各態様について詳述すると以下の通りである。
【００４８】
（ａ）態様１  
図１８は、態様１の具体例における各サブフィールドＳFを示すタイミングチャートである。同図に示すように、ひとつのフレームＦのうち黒画像Ｋが表示されるサブフィールドＳF6は、原色成分および白色成分の各単色画像が表示されるサブフィールドＳF1〜ＳF5と比較して長い。
【００４９】
図１９は、態様１において図６の被写体Ｐを表示した場合の表示色の経時的な変化を図７や図８と同様の方法で図示した概念図である。同図に示すように、態様１において原色成分の単色画像を表示する時間長Ｔaは、全部のサブフィールドＳF1〜ＳF6が同じ時間長とされた第１実施形態と比較して短縮される。したがって、態様１における色割れ幅ＣAは第１実施形態（図８）と比較して抑制される。また、原色成分および白色成分の単色画像が表示される時間長Ｔbは、黒画像のサブフィールドＳF6の増加分だけ第１実施形態よりも短縮される。したがって、態様１における動画ボケ幅ＣBは第１実施形態と比較して抑制される。
【００５０】
ただし、黒画像Ｋを表示するサブフィールドＳF6が余りに長時間であると、観察者の知覚するフリッカが顕著になるという問題がある。したがって、黒画像Ｋを表示するサブフィールドＳF6は、フレームＦの５０％以下の時間長に設定されることが望ましく、さらに好適にはフレームＦの３０％以下の時間長とされる。また、黒画像Ｋの表示に起因したフリッカの抑制を重視すべき場合には、第１実施形態のように黒画像ＫのサブフィールドＳF6を他のサブフィールドＳF1〜ＳF5と同等の時間長に設定した構成や、黒画像ＫのサブフィールドＳF6をフレームＦ内に設けない構成が好適である。なお、以上においては第１実施形態の変形を例示したが、第２実施形態についても同様の変形（黒画像Ｋが表示されるサブフィールドＳF9の長期化）が適用される。
【００５１】
（ｂ）態様２  
図２０は、態様２の具体例における各サブフィールドＳFを示すタイミングチャートである。同図に示すように、Ｗ2成分の単色画像が表示されるサブフィールドＳF5は、他のサブフィールドＳF（ＳF1〜ＳF4，ＳF6）と比較して長い期間に設定される。
【００５２】
図２１は、態様２において図６の被写体Ｐを表示した場合の表示色の経時的な変化を図７や図８と同様の方法で図示した概念図である。同図に示すように、態様２において原色成分の単色画像を表示する時間長Ｔaは態様１と同様に短縮されるから、態様２における色割れ幅ＣAは第１実施形態と比較して抑制される。一方、黒画像Ｋが表示されるサブフィールドＳF6は態様１と比較して短縮されるから、動画ボケ幅ＣBの低減という観点のみからすると態様２よりも態様１が有利である。ただし、態様２においてＷ2成分のサブフィールドＳF5を伸長する（黒画像ＫのサブフィールドＳF6を短縮する）ことは発光デューティを上昇させることと等価に作用するから、態様１と比較してフリッカが抑制されるという利点がある。
【００５３】
なお、図２０および図２１においてはサブフィールドＳF5に着目したが、サブフィールドＳF5に代えてまたはサブフィールドＳF5とともに、Ｗ1成分を表示するサブフィールドＳF1をサブフィールドＳF2〜ＳF4よりも長い時間に設定した構成も採用される。また、以上においては第１実施形態の変形を例示したが、第２実施形態についても同様の変形（サブフィールドＳF1およびＳF8の少なくとも一方の長期化）が適用される。
【００５４】
（４）変形例４  
以上の各形態においては、フレームＦの最後のサブフィールドＳF（第１実施形態のサブフィールドＳF6や第２実施形態のサブフィールドＳF9）において、照明装置１０を消灯するとともに全画素の透過率を最低値に制御することで黒画像Ｋを表示する（すなわち表示を停止する）構成を例示したが、照明装置１０の消灯と液晶の透過率の低下との何れか一方のみを最後のサブフィールドＳFにて実行する構成も採用される。また、黒画像ＫをフレームＦの最初のサブフィールドＳFにて表示してもよい。本発明の好適な態様においては、フレームＦ内の所定の期間にて表示が停止すれば足り、黒画像Ｋを表示する時点や黒画像Ｋの表示の方法の如何は不問である。もっとも、表示を停止させる期間をフレームＦ内に設けない構成も本発明においては採用される。
【００５５】
（５）変形例５  
以上の各形態においては原色成分に対応する発光体１２（１２R，１２G，１２B）を適宜に組合わせて駆動することで白色光や混色成分に対応する色光を液晶装置２０に照射する構成を例示したが、白色光を出射する発光体や混色成分の色光を出射する発光体が独立に設置された照明装置１０を利用してもよい。
【００５６】
＜Ｄ：応用例＞
次に、本発明に係る表示装置を利用した電子機器について説明する。図２２ないし図２４には、以上に説明した何れかの形態に係る表示装置１００を採用した電子機器の形態が図示されている。
【００５７】
図２２は、表示装置１００を採用したモバイル型のパーソナルコンピュータの構成を示す斜視図である。パーソナルコンピュータ２０００は、各種の画像を表示する表示装置１００と、電源スイッチ２００１やキーボード２００２が設置された本体部２０１０とを具備する。
【００５８】
図２３は、表示装置１００を適用した携帯電話機の構成を示す斜視図である。携帯電話機３０００は、複数の操作ボタン３００１およびスクロールボタン３００２と、各種の画像を表示する表示装置１００とを備える。スクロールボタン３００２を操作することによって、表示装置１００に表示される画面がスクロールされる。
【００５９】
図２４は、表示装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する表示装置１００とを備える。電源スイッチ４００２を操作すると、住所録やスケジュール帳といった様々な情報が表示装置１００に表示される。
【００６０】
なお、本発明に係る表示装置が適用される電子機器としては、図２２から図２４に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００６１】
【図１】本発明の第１実施形態に係る表示装置の構成を示すブロック図である。
【図２】表示装置の動作を説明するためのタイミングチャートである。
【図３】分離回路が分離画像信号を生成する動作を示すフローチャートである。
【図４】分離画像信号を生成する動作の具体例を示す概念図である。
【図５】分離画像信号を生成する動作の具体例を示す概念図である。
【図６】表示装置による表示例を示す概念図である。
【図７】従来の技術における色割れおよび動画ボケの発生を示す概念図である。
【図８】第１実施形態における色割れおよび動画ボケの発生を示す概念図である。
【図９】第２実施形態における分離画像信号の生成の具体例を示す概念図である。
【図１０】分離画像信号の生成の具体例を示す概念図である。
【図１１】表示装置の動作を説明するためのタイミングチャートである。
【図１２】変形例に係る表示装置の動作を示すタイミングチャートである。
【図１３】変形例に係る表示装置の動作を示すタイミングチャートである。
【図１４】変形例に係る表示装置の動作を示すタイミングチャートである。
【図１５】変形例における分離画像信号の生成の具体例を示す概念図である。
【図１６】変形例に係る表示装置の動作を示すタイミングチャートである。
【図１７】変形例に係る表示装置の動作を示すタイミングチャートである。
【図１８】変形例に係る表示装置の動作を示すタイミングチャートである。
【図１９】変形例における色割れおよび動画ボケの発生を示す概念図である。
【図２０】変形例に係る表示装置の動作を示すタイミングチャートである。
【図２１】変形例における色割れおよび動画ボケの発生を示す概念図である。
【図２２】本発明に係る電子機器の形態（パーソナルコンピュータ）を示す斜視図である。
【図２３】本発明に係る電子機器の形態（携帯電話機）を示す斜視図である。
【図２４】本発明に係る電子機器の形態（携帯情報端末）を示す斜視図である。
【符号の説明】
【００６２】
１００……表示装置、１０……照明装置、１２……発光体、１４……導光体、２０……液晶装置、２１……第１基板、２２……第２基板、２４……画素電極、４０……画像処理装置、４２……記憶回路、４４……分離回路、５０……制御装置、５２……照明駆動回路、５４……液晶駆動回路、Ｆ……フレーム、ＳF（ＳF1，ＳF2，……）……サブフィールド、ＣA……色割れ幅、ＣB……動画ボケ幅。
【図１】
2008268322.tif 000003
【図２】
2008268322.tif 000004
【図３】
2008268322.tif 000005
【図４】
2008268322.tif 000006
【図５】
2008268322.tif 000007
【図６】
2008268322.tif 000008
【図７】
2008268322.tif 000009
【図８】
2008268322.tif 000010
【図９】
2008268322.tif 000011
【図１０】
2008268322.tif 000012
【図１１】
2008268322.tif 000013
【図１２】
2008268322.tif 000014
【図１３】
2008268322.tif 000015
【図１４】
2008268322.tif 000016
【図１５】
2008268322.tif 000017
【図１６】
2008268322.tif 000018
【図１７】
2008268322.tif 000019
【図１８】
2008268322.tif 000020
【図１９】
2008268322.tif 000021
【図２０】
2008268322.tif 000022
【図２１】
2008268322.tif 000023
【図２２】
2008268322.tif 000024
【図２３】
2008268322.tif 000025
【図２４】
2008268322.tif 000026